(57)【要約】【課題】  多数の炎検知器を用いなくても速やかに火災発生を検知でき、しかも誤作動の少ない火災検知システムを提供する。【解決手段】  防護領域内に配置された複数の炎検知器と、この複数の炎検知器と接続された火災受信機とからなり、複数の炎検知器Ａ〜Ｄは、お互いに隣接の炎検知器Ａ〜Ｄが検知信号を発したかどうかを監視する検知信号監視部３２ａと、検知信号監視部３２ａにより検知信号が確認されたとき、一報目の検知信号と判断して検知感度を高感度に切り換える感度切換部３２ｂとを備え、火災受信機１０は、一報目の検知信号が入力されたときに、検知感度が高感度に切り換えられた炎検知器からの検知信号が入力されたかどうかを判定し、その検知信号を確認したときは、二報目の検知信号と判断して火災発生を報知する火災判定部１２ａを備えた。【選択図】        図１
2005275709.tif 000002
【特許請求の範囲】
【請求項１】
防護領域近辺に設置された複数の火災感知器と、この複数の火災感知器と接続された火災受信機とからなり、異なる火災感知器から２つの検知信号を受信した時に火災と判断する火災検知システムにおいて、
一報目の検知信号を低感度状態で検知し、二報目の検知信号を高感度状態で検知することを特徴とする火災検知システム。
【請求項２】
前記複数の火災感知器は、隣接する火災感知器が検知信号を発したかどうかを監視する検知信号監視部と、該検知信号監視部により検知信号が確認されたとき、一報目の検知信号と判断して検知感度を低感度から高感度に切り換える感度切換部とを備えたことを特徴とする請求項１記載の火災検知システム。
【請求項３】
前記火災受信機は、一報目の検知信号が入力されたときに、検知感度が高感度に切り換えられた火災感知器からの検知信号が入力されたかどうかを判定し、その検知信号を確認したときは、二報目の検知信号と判断して火災発生を報知する火災判定部を備えていることを特徴とする請求項２記載の火災検知システム。
【請求項４】
前記火災受信機は、火災感知器からの検知信号が入力されたときに予め設定された低感度用の閾値と比較し、その検知信号が低感度用の閾値以上のとき、一報目の検知信号と判断し、
該一報目の検知信号を発した火災感知器に隣接する他の火災感知器からの検知信号が入力されたときに予め設定された高感度用の閾値と比較し、その検知信号が高感度用の閾値以上のとき二報目の検知信号と判断して火災発生を報知することを特徴とする請求項１記載の火災検知システム。
【請求項５】
前記火災感知器は炎検知器であり、監視方向を切り換えるための監視方向切換機構部と、前記一報目の検知信号を受信したとき、隣接する炎検知器の監視エリアに監視方向が切り換わるように前記監視方向切換機構部を制御する監視方向制御部とを備えていることを特徴とする請求項１乃至４の何れかに記載の火災検知システム。
【請求項６】
前記火災受信機は、一報目の検知信号が入力されたときに時間の測定を開始し、測定時間が所定時間経過しても二報目の検知信号が入力されなかったときは、前記一報目の検知信号を発した火災感知器に隣接する他の火災感知器に復旧指示信号を出力する復旧設定部を備えていることを特徴とする請求項２乃至５の何れかに記載の火災検知システム。
【発明の詳細な説明】
【技術分野】
【０００１】
本発明は、例えば水素スタンドに設置される紫外線式炎検知器の誤作動を低減する火災検知システムに関するものである。
【背景技術】
【０００２】
この種の従来技術として建築物の延焼防止装置がある。この延焼防止装置は、２台の炎検知装置を一組として建築物の外周部に所定間隔離間して配置し、一組の炎検知装置が共に火災による紫外線を検知したときに火災発生と判断している（例えば、特許文献１参照）。
【特許文献１】特許第３２１２７４１号（第３頁、図１）
【発明の開示】
【発明が解決しようとする課題】
【０００３】
前述した従来の延焼防止装置では、２台の炎検知装置が共に火災発生を検知しないと火災と判断しないため、それだけ火災検知に時間がかかり、また、防護領域である建築物を２台の炎検知装置を一組として監視しているので、多数の炎検知装置が必要になっていた。
本発明は、かかる課題を解決するためになされたもので、多数の炎検知器を用いなくても速やかに火災発生を検知でき、しかも誤作動の少ない火災検知システムを提供することを目的とする。
【課題を解決するための手段】
【０００４】
（１）本発明に係る火災検知システムは、防護領域近辺に設置された複数の火災感知器と、この複数の火災感知器と接続された火災受信機とからなり、異なる火災感知器から２つの検知信号を受信した時に火災と判断する火災検知システムにおいて、一報目の検知信号を低感度状態で検知し、二報目の検知信号を高感度状態で検知する。
【０００５】
（２）本発明に係る火災検知システムは、前記（１）において、複数の火災感知器は、隣接する火災感知器が検知信号を発したかどうかを監視する検知信号監視部と、検知信号監視部により検知信号が確認されたとき、一報目の検知信号と判断して検知感度を低感度から高感度に切り換える感度切換部とを備えたものである。
【０００６】
（３）本発明に係る火災検知システムは、前記（１）又は（２）の何れかにおいて、火災感知器は炎検知器であり、監視方向を切り換えるための監視方向切換機構部と、一報目の検知信号を受信したとき、隣接する炎検知器の監視エリアに監視方向が切り換わるように監視方向切換機構部を制御する監視方向制御部とを備えたものである。
【発明の効果】
【０００７】
（１）本発明においては、一報目の検知信号を低感度状態で検知し、二報目の検知信号を高感度状態で検知するので、火災判断に２以上の火災感知器の作動を必要とするシステムであっても、火災発生を誤ることなく速やかに検知することが可能になる。
【０００８】
（２）本発明においては、二報目の検知信号を高感度状態で検知する際には、一報目の検知信号を発した火災感知器の監視エリアに、隣接する火災感知器の監視方向を切り換えるようにしたので、従来技術のように２台の火災感知器の監視エリアを重複させる場合に比べ、火災感知器の設置個数を減らすことが可能になり、コストを抑えることができる。
【発明を実施するための最良の形態】
【０００９】
本発明の火災検知システムは、近年、燃料電池の普及に伴って建設が進められている水素スタンドに適用したものであり、以下、水素スタンドを防護領域として防災を図るようにした実施の形態１、２を説明する。
実施の形態１．
図１は本発明の実施の形態１に係る火災検知システムを示す構成図、図２は実施の形態１における火災受信機及び炎検知器の構成を示すブロック図である。
実施の形態１の火災検知システムは、図１に示すように、火災受信機１０と、水素スタンドの防護領域近辺に配置された複数の炎検知器Ａ，Ｂ，Ｃ，Ｄ…とからなっている。この複数の炎検知器Ａ，Ｂ，Ｃ，Ｄ…は、防護領域をカバーするようにそれぞれ監視エリアが設定され、例えば２個を一組として相互に信号線２１で接続され、幹線の信号線２０を介して火災受信機１０と接続されている。なお、通常の監視状態においては、それぞれの炎検知器Ａ，Ｂ，Ｃ，Ｄ…の監視エリアは重複してなく、１台の炎検知器が作動すると、その作動した炎検知器と隣接する炎検知器の監視エリアが重複するようになっている。
【００１０】
前記の火災受信機１０は、図２に示すように、送受信部１１と、火災判定部１２ａ及び復旧設定部１２ｂを有する制御部１２と、タイマ１３と、自動／手動切換スイッチや復旧スイッチ等が設けられた操作部１４と、火災発生時に音声やベル等で警報を報知する警報部１５と、メモリ１６とを備えている。このメモリ１６には、自己の識別番号、各炎検知器Ａ，Ｂ，Ｃ，Ｄ…の識別番号等がデータとして格納されている。このうち、炎検知器Ａ，Ｂ，Ｃ，Ｄ…の識別番号に関しては、２個一組（ＡとＢ、ＣとＤ）としてそれぞれの識別番号が相互に関連付けられて格納されている。制御部１２は、復旧スイッチが操作されたときはその警報を停止し、自動／手動切換スイッチの切り換えにより手動が設定されたときは手動モードに入るようになっている。
【００１１】
前述した火災判定部１２ａは、炎検知器Ａ，Ｂ，Ｃ，Ｄ…から発せられた一報目の検知信号が入力されると、警報部１５を通じてプレアラームを行い、かつ、その炎検知器と組になっている隣接の炎検知器からの検知信号が二報目として入力されたかどうかを判定する。二報目の検知信号が隣接の炎検知器から発せられたものかどうかの判定は、例えば、入力された一報目の検知信号から識別番号を抽出しておき、二報目の検知信号が入力されたときに、抽出した識別番号をキーとして、メモリ１６に格納されているその識別番号と関連付けられたもう一つの識別番号から判別している。二報目の検知信号が一報目を発した炎検知器に隣接する炎検知器からと確認したときは火災発生と判断し、警報部１５を通じて警報を報知する。復旧設定部１２ｂは、一報目の検知信号が入力されたときにタイマ１３を作動させて時間の測定を開始し、測定時間が所定時間経過しても二報目の検知信号が入力されなかったときは、一報目の検知信号を発した炎検知器に隣接する炎検知器に復旧指示信号を出力する。この復旧指示信号は、後述するが検知感度と監視エリアの復旧指示である。
【００１２】
複数の炎検知器Ａ，Ｂ，Ｃ，Ｄ…は、送受信部３１と、検知信号監視部３２ａ、感度切換部３２ｂ及び監視方向制御部３２ｃを有する制御部３２と、予め検知感度が低く設定されており、炎から発生する紫外線量をその検知感度に基づいて検知する炎検知部３３と、メモリ３４と、図示せぬモータを有し、このモータを駆動して監視方向を変える監視方向切換機構部３５とを備えている。前記のメモリ３４には、例えば、自己の識別番号、火災受信機１０及び隣接の炎検知器の各識別番号、炎の発生の有無を判別するための紫外線量の閾値と、監視エリアの方向及び角度、炎検知部３３の検知感度を設定する低感度設定値、高感度設定値等がデータとして格納されている。制御部３２は、炎検知部３３により検知された紫外線量がメモリ３４に格納されている閾値以上のとき、例えば、火災受信機１０及び隣接の炎検知器の各識別番号、自己の識別番号、紫外線検知等の情報を有する検知信号を生成し、一報目の検知信号として送受信部３１から出力する。なお、二報目の検知信号には、火災受信機１０の識別番号、自己の識別番号、紫外線検知等の情報が含まれている。
【００１３】
前記の検知信号監視部３２ａは、お互いに隣接の炎検知器Ａ，Ｂ（炎検知器Ｃ，Ｄ）が検知信号を発したかどうかを監視し、例えば、炎検知器Ａの制御部３２が検知信号を発した場合、炎検知器Ｂの検知信号監視部３２ａがその検知信号に添付された識別番号を読み込んで、メモリ３４に格納されている自己の識別番号と比較し、識別番号が同一のときは自己への発信と判断してその旨を感度切換部３２ｂに通知する。感度切換部３２ｂは、検知信号監視部３２ａにより検知信号が確認されたとき、一報目の検知信号と判断してメモリ３４に格納されている高感度設定値を読み込んで炎検知部３３に設定し、検知感度を低感度から高感度に切り換える。また、火災受信機１０からの復旧指示信号の入力を検知したときは、メモリ３４から低感度設定値を読み込んで炎検知部３３に設定し、検知感度を高感度から低感度に復旧させる。
【００１４】
監視方向制御部３２ｃは、感度切換部３２ｂにより炎検知部３３が高感度に切り換えられたとき、検知信号を発した隣接の炎検知器の監視エリアに監視方向が切り換わるように監視方向切換機構部３５を制御する。例えば、炎検知器Ｂが検知信号を発すると、炎検知器Ａの感度切換部３２ｂが炎検知部３３の検知感度を低感度から高感度に切り換え、炎検知器Ａの監視方向制御部３２ｃが、図１に示す破線のように、検知信号を発した隣接の炎検知器Ｂの監視エリアに監視方向が切り換わるように監視方向切換機構部３５を制御する。また、火災受信機１０からの復旧指示信号の入力を検知したときは、自己の監視エリアに復旧するように監視方向切換機構部３５を制御する。
【００１５】
前記のように構成された実施の形態１の火災検知システムにおいては、水素スタンドの防護領域近辺に配置された複数の炎検知器Ａ，Ｂ，Ｃ，Ｄ…は、それぞれの炎検知部３３を通して自己の監視エリアをそれぞれ監視し、かつ、お互いに隣接の炎検知器Ａ−Ｂ，Ｃ−Ｄから検知信号が発せられたかどうかを監視している。この状態において、炎検知器Ｂの監視エリアで火災が発生し、例えば炎検知器Ｂの炎検知部３３が火災の炎の紫外線を検知すると、その制御部３２は、炎検知部３３によって検知された紫外線量がメモリ３４に格納されている閾値以上かどうかを判別し、紫外線量が閾値以上のときは検知信号を発して、隣接の炎検知器Ａ及び火災受信機１０に入力させる。この時、火災受信機１０の火災判定部１２ａは、警報部１５を通じてプレアラームを行い、炎検知器Ａから検知信号が発せられたかどうかの監視に入り、復旧設定部１２ｂは、タイマ１３を作動させて時間の測定を開始する。
【００１６】
一方、炎検知器Ａの検知信号監視部３２ａは、炎検知器Ｂからの検知信号を確認したとき、一報目の検知信号と判断してその旨を感度切換部３２ｂに通知し、その感度切換部３２ｂは、メモリ３４から高感度設定値を読み込んで炎検知部３３に設定し、検知感度を低感度から高感度に切り換える。この時、監視方向制御部３２ｃは、メモリ３４に格納された監視エリアの方向及び角度の各データに基づいて監視方向切換機構部３５を制御し、検知信号を発した隣接の炎検知器Ｂの監視エリアに自己の炎検知器Ａの監視方向が切り換わるようにする。炎検知器Ａ側の検知感度を高感度に切り換えるのは、火災の発生した炎検知器Ｂの監視するエリアが自己の監視エリアと比べ距離が長くなるからである。この監視エリアの切り換えにより、炎検知器Ａの炎検知部３３が炎検知器Ｂの監視エリア上の紫外線を検知すると、炎検知器Ａの制御部３２は、炎検知部３３によって検知された紫外線量がメモリ３４の閾値以上かどうかを判別し、紫外線量が閾値以上のときは検知信号を発して火災受信機１０に二報目の検知信号として入力させる。この時、火災受信機１０の火災判定部１２ａは、炎検知器Ｂの監視エリア上で火災が発生していると判断し、警報部１５を通じて警報を報知し、復旧設定部１２ｂは、二報目の検知信号が入力されたためタイマ１３を停止して、復旧指示信号を出力するか否かの判別を終了する。なお、監視エリアの切り換えにより、火災時の炎は、炎検知器Ｂからは正面方向、炎検知器Ａからは側面方向というように異なる方向から火災が検知されるので、正確に火災判断を行うことができる。
【００１７】
また、火災受信機１０の復旧設定部１２ｂは、時間の測定を開始してから所定時間経過しても炎検知器Ａからの検知信号が二報目として入力されなかったときは、一報目の検知信号を発した炎検知器Ｂに隣接する炎検知器Ａに復旧指示信号を出力する。この炎検知器Ａに復旧指示信号が入力されると、炎検知器Ａの監視方向制御部３２ｃは、炎検知器Ｂの監視エリアに向いている監視方向が自己の監視エリアに復旧するように監視方向切換機構部３５を制御し、感度切換部３２ｂは、メモリ３４から低感度設定値を読み込んで炎検知部３３に設定し、検知感度を高感度から低感度に復旧させる。
【００１８】
以上のように実施の形態１によれば、複数の炎検知器Ａ，Ｂ，Ｃ，Ｄ…のうち一つの炎検知器が検知信号を発すると、その炎検知器に隣接する炎検知器が検知感度を高感度に切り換えるので、火災判断に２以上の炎検知器の作動を必要とするシステムであっても火災発生を誤ることなく速やかに検知することが可能になる。また、検知感度を低感度から高感度に切り換えた際、一報目の検知信号を発した炎検知器の監視エリアに監視方向が切り換わるようにしたので、従来技術のように２台の炎検知器の監視エリアを重複させる場合に比べ、炎検知器の設置個数を減らすことが可能になり、コストを抑えることができる。
【００１９】
さらに、一報目の検知信号が入力されてから所定時間経過しても二報目の検知信号が入力されなかったときは、監視方向と検知感度を高感度にそれぞれ切り換えた炎検知器を自動的に元の状態に復旧させるようにしたので、一報目の検知信号が誤報の場合には、自動で初期の状態に復旧させることができる。
【００２０】
実施の形態２．
図３は本発明の実施の形態２に係る火災検知システムの火災受信機及び炎検知器のブロック構成図である。
実施の形態２の火災検知システムは、図中に示すように、火災受信機４０と、水素スタンドの防護領域近辺に配置された複数の炎検知器Ａ１，Ｂ１，Ｃ１，Ｄ１…とからなっている。この複数の炎検知器Ａ１，Ｂ１，Ｃ１，Ｄ１…は、前述したように、防護領域をカバーするようにそれぞれ監視エリアが設定され、２個を一組として相互に信号線５０を介して火災受信機４０と接続されている。
【００２１】
火災受信機４０は、送受信部４１と、監視方向設定部４２ａ、火災判定部４２ｂ及び復旧設定部４２ｃを有する制御部４２と、メモリ４３と、火災発生時に音声やベル等で警報を報知する警報部４４と、自動／手動切換スイッチや復旧スイッチ等が設けられた操作部４５と、タイマ４６とを備えている。前記のメモリ４３には、自己の識別番号、各炎検知器Ａ１，Ｂ１，Ｃ１，Ｄ１…の識別番号、第１及び第２の閾値（第１の閾値（低感度用）＞第２の閾値（高感度用））等がデータとして格納されている。このうち、炎検知器Ａ１，Ｂ１の識別番号が相互に関連付けられて格納されており、また、炎検知器Ｃ１，Ｄ１の識別番号が相互に関連付けられて格納されている。制御部４２は、各炎検知器Ａ１，Ｂ１，Ｃ１，Ｄ１…に対し一定の順位で定期的にアクセスして、検知信号の入力を要求するようになっており、また、復旧スイッチが操作されたときは警報部４４の動作を停止し、自動／手動切換スイッチの切り換えにより手動が設定されたときは手動モードに入るようになっている。
【００２２】
監視方向設定部４２ａは、制御部４２の要求により炎検知器Ａ１，Ｂ１，Ｃ１，Ｄ１…から順次に発せられた検知信号が入力される毎に、その検知信号に添付されている紫外線量（後述する）とメモリ４３に格納されている第１の閾値とを比較し、その検知信号の紫外線量が第１の閾値以上のとき、一報目の検知信号としてその検知信号を発した例えば炎検知器Ｂ１の監視エリアに監視方向が切り換わるように炎検知器Ｂ１に隣接する炎検知器Ａ１の監視方向制御部６２ｂに切換指示信号を出力する。このの切換指示信号には、送信先の炎検知器Ａ１の識別番号、自己の識別番号、切換命令等の情報が含まれている。監視方向を切り換えさせる炎検知器は、一報目の検知信号に添付されている炎検知器の識別番号をキーとして、メモリ４３に格納されているその識別番号と関連付けられたもう一つの識別番号から判断しており、この識別番号を火災判定部４２ｂに通知する。また、監視方向設定部４２ａは、一報目の検知信号を確認したとき、その旨を復旧設定部４２ｃに通知し、かつ警報部４４を通じてプレアラームを行うようになっている。
【００２３】
火災判定部４２ｂは、制御部４２の要求によって監視方向を切り換えた炎検知器からの検知信号が入力されたとき、その検知信号に添付されている紫外線量と予め設定された第２の閾値とを比較し、その検知信号の紫外線量が第２の閾値以上のとき二報目の検知信号と判断して警報部４４から火災発生を報知させる。監視方向を切り換えた炎検知器からの検知信号かどうかの判断は、その検知信号に添付されている識別番号と監視方向設定部４２ａから受け取った識別番号とを比較して行っている。また、火災判定部４２ｂは、二報目の検知信号を確認したときにその旨を復旧設定部４２ｃに通知するようになっている。復旧設定部４２ｃは、一報目の検知信号が入力されたときにタイマ４６を作動させて時間の測定を開始し、測定時間が所定時間経過しても二報目の検知信号が入力されなかったときは、一報目の検知信号を発した炎検知器に隣接する炎検知器に復旧指示信号を出力する。この復旧指示信号は、監視エリアの復旧指示である。
【００２４】
複数の炎検知器Ａ１，Ｂ１，Ｃ１，Ｄ１…は、送受信部６１と、監視方向制御部６２ａを有する制御部６２と、炎から発生する紫外線量を検知する炎検知部６３と、メモリ６４と、図示せぬモータを有し、このモータを駆動して監視方向を変える監視方向切換機構部６５とを備えている。前記のメモリ６４には、例えば、自己の識別番号、火災受信機４０の識別番号、監視エリアの方向及び角度等がデータとして格納されている。
【００２５】
制御部６２は、火災受信機４０側からの要求を受ける毎に、例えば火災受信機４０の識別番号、自己の識別番号、炎検知部６３により検知された紫外線量等を有する検知信号を生成し、送受信部６１から出力する。監視方向制御部６２ａは、火災受信機４０側からの切換指示信号が入力されたとき、メモリ６４に格納された監視エリアの方向及び角度に基づいて隣接する炎検知器の監視エリアに監視方向が切り換わるように監視方向切換機構部６５を制御する。また、火災受信機４０側からの復旧指示信号の入力を検知したときは、自己の監視エリアに復旧するように監視方向切換機構部６５を制御する。
【００２６】
前記のように構成された実施の形態２の火災検知システムにおいては、火災受信機４０の制御部４２は、水素スタンドの防護領域に配置された複数の炎検知器Ａ１，Ｂ１，Ｃ１，Ｄ１…の制御部６２に対し、一定の順位で定期的にアクセスして検知信号の入力を要求し、一方、各炎検知器Ａ１，Ｂ１，Ｃ１，Ｄ１…の制御部６２は、その要求を受ける毎に、送信先の火災受信機４０の識別番号、自己の識別番号、炎検知部６３により検知された紫外線量等の情報を有する検知信号を生成し、送受信部６１から火災受信機４０へ出力する。この状態において、火災受信機４０の送受信部４１に検知信号が入力されると、監視方向設定部４２ａは、その検知信号に添付されている紫外線量とメモリ４３に格納されている第１の閾値とを比較する。そして、その検知信号の紫外線量が第１の閾値以上のときは、一報目の検知信号としてその検知信号を発した例えば炎検知器Ｂ１の監視エリアに監視方向が切り換わるように炎検知器Ｂ１に隣接する炎検知器Ａ１に切換指示信号を出力し、その旨を復旧設定部４２ｃに通知し、警報部４４を通じてプレアラームを行う。この時、復旧設定部４２ｃは、タイマ４６を作動させて時間の測定を開始する。
【００２７】
一方、炎検知器Ａ１の送受信部６１に切換指示信号が入力すると、監視方向制御部６２ａは、メモリ６４に格納された監視エリアの方向及び角度に基づいて隣接する炎検知器Ｂ１の監視エリアに監視方向が切り換わるように監視方向切換機構部６５を制御する。監視方向の切換後に火災受信機４０側からの要求を受けると、炎検知器Ａ１の制御部６２は、炎検知部６３により検知された炎検知器Ｂ１側の監視エリア上の紫外線量を取り込んで、前記と同様に送信先の火災受信機４０の識別番号、自己の識別番号、紫外線量等の情報を有する検知信号を生成し、送受信部６１から火災受信機４０へ出力する。
【００２８】
この時、火災受信機４０の火災判定部４２ｂが、炎検知器Ａ１からの検知信号を読み込んで、その検知信号に添付されている紫外線量と予め設定された第２の閾値とを比較し、その検知信号の紫外線量が第２の閾値以上のときは、二報目の検知信号と判断して警報部４４から火災発生を報知させると共に、その旨を復旧設定部４２ｃに通知する。この時、復旧設定部４２ｃは、二報目の検知信号が入力されたためタイマ４６を停止して、復旧指示信号を出力するか否かの判別を終了する。また、この復旧設定部４２ｃは、時間の測定を開始してから所定時間経過しても炎検知器Ａ１からの検知信号が二報目として入力されなかったときは、一報目の検知信号を発した炎検知器Ｂ１に隣接する炎検知器Ａ１に復旧指示信号を出力する。この炎検知器Ａ１に復旧指示信号が入力されると、炎検知器Ａ１の監視方向制御部６２ａは、炎検知器Ｂ１の監視エリアに向いている監視方向が自己の監視エリアに復旧するように監視方向切換機構部６５を制御する。
【００２９】
以上のように実施の形態２によれば、火災受信機４０側からの要求により入力された検知信号の紫外線量が第１の閾値以上のとき、一報目の検知信号としてその検知信号を発した炎検知器の監視エリアに、その炎検知器に隣接するもう一つの炎検知器の監視方向が切り換わるようにしたので、火災判断に２台以上の炎検知器のの作動を必要とするシステムであっても火災発生を誤ることなく速やかに検知することが可能になる。また、従来技術のように監視エリアを重複させる場合に比べ、炎検知器の設置個数を減らすことが可能になり、コストを抑えることができる。さらに、一報目の検知信号を第１の閾値で判別し、二報目の検知信号を第１の閾値より低い第２の閾値で判別するようにしているので、実施の形態１の炎検知器であった感度切換部が不要になり、回路構成を簡素化できる。
【００３０】
以上の実施形態１では、２つの炎検知器を一組として、一方の炎検知器が動作した時、低感度状態で検知した一報目の検知信号を出力し、他方の炎検知器が高感度に切り換わる。そして、他方の炎検知器が動作すると、高感度状態で検知した二報目の検知信号を出力し、火災受信機側でこれら２つの検知信号をそろって受信した時に、火災と判断した。
また実施形態２では、まず炎検知器のセンサ出力を受信機側で受信し、低感度状態で一報目の検知信号を判断し、その後、隣接する炎検知器のセンサ出力が高感度用に設定された閾値を越えたら、高感度状態による検知信号を受信したものと判断して、火災と判定していた。つまり、本発明は、異なる火災感知器から２つの検知信号を受信した時に火災と判断する火災検知システムにおいて、一報目の検知信号を低感度状態で検知し、二報目の検知信号を高感度状態で検知することを特徴とするものである。
以上のように本発明は、２つの炎検知器を一組として、一方の炎検知器が動作した後、他方の炎検知器が動作し、低感度の検知信号と高感度の検知信号とがそろった時に火災と判断する第１の発明と、２つの炎検知器を一組として、一方の炎検知器が動作した時、他方の炎検知器の監視方向を、その動作した一方の炎検知器の監視エリアに切り換えるという第２の発明とから構成されている。実施形態１，２では、これら２つの発明を両方含んだ実施形態で説明したが、これら第１の発明又は第２の発明のいずれか一方だけの実施例であってもよい。
また第１の発明と第２の発明両方をまとめて説明するために、実施形態１，２では、火災感知器を炎検知器を例に説明したが、第１の発明だけであれば、火災感知器には煙感知器や熱感知器などを使用してもよい。
また、実施形態１，２では、２個の炎検知器を一組として述べたが、これに限定されることはなく、３個以上の炎検知器を一組としてもよく、例えば１個の炎検知器が一報目の検知信号が発した時、その炎検知器の両側に配置された炎検知器がその中央の監視エリアに向くようにしてもよい。
【図面の簡単な説明】
【００３１】
【図１】本発明の実施の形態１に係る火災検知システムを示す構成図である。
【図２】実施の形態１における火災受信機及び炎検知器の構成を示すブロック図である。
【図３】本発明の実施の形態２に係る火災検知システムの火災受信機及び炎検知器のブロック構成図である。
【符号の説明】
【００３２】
１０  火災受信機、１１  送受信部、１２  制御部、１２ａ  火災判定部、１２ｂ  復旧設定部、１３  タイマ、１４  操作部、１５  警報部、１６  メモリ、Ａ〜Ｄ  炎検知器、３１  送受信部、３２  制御部、３２ａ  検知信号監視部、３２ｂ  感度切換部、３２ｃ  監視方向制御部、３３  炎検知部、３４  メモリ、３５  監視方向切換機構部、４０  火災受信機、４１  送受信部、４２  制御部、４２ａ  監視方向設定部、４２ｂ  火災判定部、４２ｃ  復旧設定部、４３  メモリ、４４  警報部、４５  操作部、４６  タイマ、Ａ１〜Ｄ１  炎検知器、６１  送受信部、６２  制御部、６２ａ  監視方向制御部、６３  炎検知部、６４  メモリ、６５  監視方向切換機構部。
【図１】
2005275709.tif 000003
【図２】
2005275709.tif 000004
【図３】
2005275709.tif 000005